(57)【要約】【課題】カバーのガタつきを減らす。【解決手段】箱本体１０と、箱本体の側部に上方からスライドさせて装着されることで、箱本体の外部に張り出して設けられるカバー５０とからなる。箱本体の側部には、外方に突出した左右一対の連結壁（側壁）２１が設けられ、カバー５０は、前壁７０と、その左右両端に連設され箱本体への装着時に箱本体の左右の連結壁に重なる左右側壁７１とを有する水平断面略コ字状をなし、カバー５０の左右側壁の先端と箱本体に第１のスライドガイド１２、５２を設け、連結壁と左右側壁が重なる部分の、カバー側から見て第１のスライドガイドよりも手前側の位置に、第２のスライドガイド１４、５４を設けた。【選択図】図８
2008178281.tif 000002
【特許請求の範囲】
【請求項１】
電気部品等が収容される箱本体と、該箱本体の側部に上方からスライドさせて装着されることで、箱本体の外部に張り出して設けられるカバーと、からなり、前記箱本体の側部には、外方に突出した左右一対の連結壁が設けられ、前記カバーは、前壁と、該前壁の左右両端に連設されると共に前記箱本体への装着時に該箱本体の左右の連結壁に重なる左右側壁とを有する水平断面略コ字状をなし、前記カバーの左右側壁の先端と箱本体とに、該カバーを上方からスライドさせて装着するための第１のスライドガイドを設けると共に、前記連結壁と左右側壁が重なる部分の、前記カバーから見て第１のスライドガイドよりも手前側の位置に、該カバーを上方からスライドさせて装着するための第２のスライドガイドを設けたことを特徴とする電気接続箱。
【請求項２】
請求項１に記載の電気接続箱であって、
前記第２のスライドガイドを、第１のスライドガイドよりも下方へ延ばしたことを特徴とする電気接続箱。
【請求項３】
請求項１または２に記載の電気接続箱であって、
前記第１のスライドガイドと第２のスライドガイドを、各入口では前後方向の遊びが大きくスライド方向の奥側に行くほど前後方向の遊びが小さくなるように構成したことを特徴とする電気接続箱。
【請求項４】
請求項３に記載の電気接続箱であって、
前記第１のスライドガイドと第２のスライドガイドを、それぞれ前記箱本体側に形成されたスライド溝と該スライド溝に摺動自在に嵌まる前記カバー側に形成された凸部との組で構成し、前記各スライド溝の入口側の溝側縁を、前記カバーのスライド方向に対して傾斜させることにより、各入口の遊びを大きく設定したことを特徴とする電気接続箱。
【請求項５】
請求項１〜４のいずれか１項に記載の電気接続箱であって、
前記カバーが、前記箱本体の側部の外面にワイヤーハーネスを配索した後に、上からワイヤーハーネスを押し付けるように装着されるカバーであり、前記箱本体の側部の外面に、該箱本体の側部から引き出されて上部から下方へ向けて導出されるワイヤーハーネスを嵌めるための前面開放の断面Ｕ字状の配索溝が形成され、その配索溝の両側に前記左右一対の連結壁が設けられていることを特徴とする電気接続箱。
【請求項６】
電気部品等が収容される箱本体と、該箱本体の側部に上方からスライドさせて装着されることで、箱本体の外部に張り出して設けられるカバーと、からなり、前記箱本体の側部には、外方に突出した左右一対の連結壁が設けられ、前記カバーは、前壁と、該前壁の左右両端に連設されると共に前記箱本体への装着時に該箱本体の左右の連結壁に重なる左右側壁とを有する水平断面略コ字状をなし、前記カバーの左右側壁の先端と箱本体とに、該カバーを上方からスライドさせて装着するための第１のスライドガイドを設けると共に、前記連結壁と左右側壁が重なる部分の、前記カバーから見て第１のスライドガイドよりも手前側の位置に、該カバーを上方からスライドさせて装着するための第２のスライドガイドを設けた電気接続箱の組立方法であって、
前記箱本体の側部からワイヤーハーネスを引き出すと共に、引き出したワイヤーハーネスを、前記箱本体の側部から突出した左右一対の連結壁の間に通して上部から下方へ向けて導出し、その後、前記カバー側の第１のスライドガイドと第２のスライドガイドを前記箱本体側の第１のスライドガイドと第２のスライドガイドにそれぞれ係合させつつ、初期段階では前記カバーを、その下端側が外側に開いた状態となるよう傾けた姿勢で箱本体に挿入していき、最終的段階では、前記第１のスライドガイドと第２のスライドガイドの案内作用により、前記カバーの下端側を前記箱本体側に引き付けながら挿入して、カバーを箱本体に合体させることを特徴とする電気接続箱の組立方法。
【発明の詳細な説明】
【技術分野】
【０００１】
本発明は、自動車に搭載される電気接続箱およびその組立方法に関する。
【背景技術】
【０００２】
電気接続箱の箱本体にワイヤーハーネス保持用等の目的のカバーを後付けする場合、箱本体とカバーに、カバーをスライドさせて装着するためのスライドガイドを設けることがよくある（例えば、特許文献１参照）。
【０００３】
このようなスライドガイドの例としては、スライド方向に連続して延びる凸部（リブ等）と凹部（溝等）の組み合わせが用いられている。この場合、互いに組み合わせられるスライドガイド（凹部と凸部）は、スライド方向の移動のみを許し、それ以外の動きを許さない構造をとることが多い。従ってスライドガイドは、２つの部材を係合する係合手段としての役割をも担っている。
【０００４】
また、電気接続箱において多く採用されるスライドガイドは、単純に樹脂成形された凹部と凸部を組み合わせた構造を採るので、スライド動作を案内する関係上、必然的に遊び（ガタ）を持っている。この遊びが小さ過ぎるとスライド操作をスムーズに行うことができないし、大き過ぎるとガタが大きくなってしまうので、成形品質なども勘案して適当な遊びの大きさに設定している。
【特許文献１】特開２００５−１８５０１０号公報
【発明の開示】
【発明が解決しようとする課題】
【０００５】
ところで、カバーが箱本体の側部から張り出して付いているような場合、カバーの先端にスライドガイドを設けて箱本体側のスライドガイドに係合させると、片持ち状の支持形態となるので、スライドガイドの遊びがそのままカバーのガタつきの要因となる。そして箱本体からの張り出し寸法の大きい箇所は、スライドガイドからの距離が開くので、それだけガタつきの際に一番大きく変位することになる。従って、ガタつきによるカバーの大きな変位により、場合によっては、異音発生等の問題を引き起こすことにもなる。
【０００６】
本発明は、このように外に張り出して付いているカバーのガタつきを極力小さくすることのできる電気接続箱およびその組立方法を提供することを目的とする。
【課題を解決するための手段】
【０００７】
請求項１の発明は、電気部品等が収容される箱本体と、該箱本体の側部に上方からスライドさせて装着されることで、箱本体の外部に張り出して設けられるカバーと、からなり、前記箱本体の側部には、外方に突出した左右一対の連結壁が設けられ、前記カバーは、前壁と、該前壁の左右両端に連設されると共に前記箱本体への装着時に該箱本体の左右の連結壁に重なる左右側壁とを有する水平断面略コ字状をなし、前記カバーの左右側壁の先端と箱本体とに、該カバーを上方からスライドさせて装着するための第１のスライドガイドを設けると共に、前記連結壁と左右側壁が重なる部分の、前記カバーから見て第１のスライドガイドよりも手前側の位置に、該カバーを上方からスライドさせて装着するための第２のスライドガイドを設けたことを特徴とする。
【０００８】
請求項２の発明は、請求項１に記載の電気接続箱であって、前記第２のスライドガイドを、第１のスライドガイドよりも下方へ延ばしたことを特徴とする。
【０００９】
請求項３の発明は、請求項１または２に記載の電気接続箱であって、前記第１のスライドガイドと第２のスライドガイドを、各入口では前後方向の遊びが大きくスライド方向の奥側に行くほど前後方向の遊びが小さくなるように構成したことを特徴とする。
【００１０】
請求項４の発明は、請求項３に記載の電気接続箱であって、前記第１のスライドガイドと第２のスライドガイドを、それぞれ前記箱本体側に形成されたスライド溝と該スライド溝に摺動自在に嵌まる前記カバー側に形成された凸部との組で構成し、前記各スライド溝の入口側の溝側縁を、前記カバーのスライド方向に対して傾斜させることにより、各入口の遊びを大きく設定したことを特徴とする。
【００１１】
請求項５の発明は、請求項１〜４のいずれか１項に記載の電気接続箱であって、前記カバーが、前記箱本体の側部の外面にワイヤーハーネスを配索した後に、上からワイヤーハーネスを押し付けるように装着されるカバーであり、前記箱本体の側部の外面に、該箱本体の側部から引き出されて上部から下方へ向けて導出されるワイヤーハーネスを嵌めるための前面開放の断面Ｕ字状の配索溝が形成され、その配索溝の両側に前記左右一対の連結壁が設けられていることを特徴とする。
【００１２】
請求項６の発明は、電気部品等が収容される箱本体と、該箱本体の側部に上方からスライドさせて装着されることで、箱本体の外部に張り出して設けられるカバーとからなり、前記箱本体の側部には、外方に突出した左右一対の連結壁が設けられ、前記カバーは、前壁と、該前壁の左右両端に連設されると共に前記箱本体への装着時に該箱本体の左右の連結壁に重なる左右側壁とを有する水平断面略コ字状をなし、前記カバーの左右側壁の先端と箱本体とに、該カバーを上方からスライドさせて装着するための第１のスライドガイドを設けると共に、前記連結壁と左右側壁が重なる部分の、前記カバーから見て第１のスライドガイドよりも手前側の位置に、該カバーを上方からスライドさせて装着するための第２のスライドガイドを設けた電気接続箱の組立方法であって、前記箱本体の側部からワイヤーハーネスを引き出すと共に、引き出したワイヤーハーネスを、前記箱本体の側部から突出した左右一対の連結壁の間に通して上部から下方へ向けて導出し、その後、前記カバー側の第１のスライドガイドと第２のスライドガイドを前記箱本体側の第１のスライドガイドと第２のスライドガイドにそれぞれ係合させつつ、初期段階では前記カバーを、その下端側が外側に開いた状態となるよう傾けた姿勢で箱本体に挿入していき、最終段階では、前記第１のスライドガイドと第２のスライドガイドの案内作用により、前記カバーの下端側を前記箱本体側に引き付けながら挿入して、カバーを箱本体に合体させることを特徴とする。
【発明の効果】
【００１３】
請求項１の発明によれば、カバーを上方からスライドさせるためのスライドガイドを、カバーから見て先端側と手前側の２箇所に設けたので、カバーのガタつきを減らすことができる。
【００１４】
図９を用いてその例を示すと、それぞれ第１、第２のスライドガイドの各遊び角θ１、θ２を、θ１はα１とα２とのなす角およびθ２はα３とα４とのなす角とした場合、両方の遊び角の重なる範囲α３とα２とのなす角θがトータルの遊び角θになる。従って、２つスライドガイドがあることによって、トータルの遊び量を結果的に小さくすることができるようになり、カバーのガタつきを減らすことができる。
【００１５】
また、手前側に第２のスライドガイドを設けたことにより、ガタつきによる変位量の最も大きくなるカバーの前壁下端の変位量を減らすことができる。つまり、例えば、図７（ｂ）に示すように、カバー７０の先端側の第１のスライドガイド１２、５２しかない場合、カバー７０の前壁下端Ｋからスライドガイド１２、５２までの距離Ｌが大きくなるので、同じガタつき角度であるとすると、カバー７０の前壁下端Ｋの変位量が大きくなるが、図８（ｂ）に示すように、第１のスライドガイド１２、５２の他に手前側にも第２のスライドガイド１４、５４があると、前記距離Ｌが小さくなるので、そのぶんだけカバー７０の前壁下端Ｋの変位量を小さくすることができる。
【００１６】
また、請求項２の発明によれば、図８（ｂ）に示すように、第１のスライドガイド１２、５２は上の方にあるが、第２のスライドガイド１４、５４はそれより下の方にあるので、第２のスライドガイド１４、５４に近いカバー７０の前壁下端Ｋのガタつきをより小さくすることができる。
【００１７】
また、請求項３の発明によれば、第１のスライドガイドと第２のスライドガイドを、各入口では前後方向の遊びが大きくスライド方向の奥側に行くほど前後方向の遊びが小さくなるように構成しているので、装着初期の段階では、大きな遊びを持たせながらカバーを箱本体に楽に装着することができ、装着終期の段階では、徐々に遊びを取り除きながらカバーをぴったりと適正な最終位置に装着することができる。
【００１８】
従って、箱本体の側部から引き出したワイヤーハーネスを、箱本体の外側面に沿って上部から下方に導き、更に水平方向に引き延ばすような場合には、ワイヤーハーネスに撥ね上がり力があることによって、又は、ワイヤーハーネスの径が大きい場合、カバーを装着する際にカバーがワイヤーハーネスを強く擦りながら挿入される心配があるが、その点を解消することができる。
【００１９】
つまり、カバーの装着初期の段階は、カバーの姿勢についての融通が大きく取れることにより、無理な押し付け力をワイヤーハーネスに与えることなく、カバーを箱本体に装着することができ、装着終期の段階に進むにつれて、第１、第２のスライドガイドによる拘束性能が強く効き出すことによって、ワイヤーハーネスを外側から押さえ付けながらカバーを最終位置まで装着することができる。これにより、撥ね返り傾向のあるワイヤーハーネスにカバーが強く擦れるという現象を緩和することができ、ワイヤーハーネスの外周に対する損傷防止を図ることができる。また、カバーを装着する際の力を小さくすることができる。
【００２０】
また、請求項４の発明によれば、箱本体のスライド溝の入口部分の溝側縁に傾斜を設けるだけで、カバーの装着初期の段階に、ワイヤーハーネスへの押し付け力を軽減する方向の融通をカバーの姿勢に持たせることができる。
【００２１】
また、請求項５の発明によれば、箱本体の側部の外面にワイヤーハーネスを嵌めるための配索溝を設けているので、その配索溝の中を通して、ワイヤーハーネスを上部から下方へ導出することができ、その上にカバーを装着することで、撥ね返りを押さえながらワイヤーハーネスを安定的に保持することができる。
【００２２】
また、請求項６の発明によれば、初期段階ではカバーを、その下端側が外側に開いた状態となるよう傾けた姿勢で箱本体に挿入していき、最終段階では、第１のスライドガイドと第２のスライドガイドの案内作用により、カバーの下端側を箱本体側に引き付けながら挿入するので、ワイヤーハーネスとの擦れをできるだけ避けながらカバーを箱本体に装着することができ、装着完了時点ではワイヤーハーネスを確実にカバーで押さえ付けることができる。
【発明を実施するための最良の形態】
【００２３】
本発明の実施形態を図面を参照しながら説明する。
【００２４】
図１は実施形態の電気接続箱の箱本体とカバーを組み合わせた状態を示す要部の斜視図、図２は箱本体の要部の斜視図、図３はカバーの外面の斜視図、図４はカバーの内面を斜め下側から見た斜視図、図５は箱本体とカバーを組み合わせた状態を示す一部省略して示す要部の側面図、図６は箱本体にワイヤーハーネスを組み込んだ上でカバーを装着した状態を示す要部の側面図である。
【００２５】
この電気接続箱は、電気部品等が収容される合成樹脂製の箱本体１０と、箱本体１０の一側部の外面にワイヤーハーネス配索後に装着される合成樹脂製のカバー５０と、からなる。箱本体１０とカバー５０は、それぞれ共に樹脂の一体成形品よりなる。
【００２６】
カバー５０は、箱本体１０の側部の外面に上方からスライドさせて装着されることで、箱本体１０の外部に張り出して設けられるスライド式の防水カバーであり、箱本体１０の側部開口１１の左右縁部とカバー５０の前端左右には、そのスライド動作を案内するための第１のスライドガイド１２、５２が設けられている。
【００２７】
この第１のスライドガイド１２、５２は、互いに係合するレール状のものであり、上からカバー５０を組み付けることにより、上下方向にはカバー５０の自由なスライドを許すものの、他の方向へのカバー５０の移動を規制する機能を果たす。
【００２８】
この第１のスライドガイド１２、５２として、箱本体１０側には、図２に示すようにスライド溝１２ａが設けられ、カバー５０側には、図４に示すようにスライド溝１２ａに摺動自在に嵌まる突壁（凸部）５２ａが設けられている。また、カバー５０側には、スライド溝１２ａに突壁５２ａを挿入した状態で、箱本体１０側のスライドガイド１２を囲むように位置する断面コ字状のレール壁５２ｂが設けられている。
【００２９】
この場合、図２に示すように、スライド溝１２ａの入口部分（上端付近）の、特にカバー５０から見て特に奥側の溝側縁１２ｂが、カバー５０のスライド方向に対して傾斜することによって、スライド溝１２ａの溝幅が大きくなっていることにより、カバー５０と箱本体１０間における第１のスライドガイド１２、５２の入口部分の前後方向の遊びが大きく設定されている。また、スライド方向の奥側（下側）に行くほどスライド溝１２ａの溝幅が小さくなって、最終的に両溝側縁が平行になっていることにより、カバー５０と箱本体１０間における第１のスライドガイド１２、５２の前後方向の遊びが小さくなっている。
【００３０】
なお、第１のスライドガイド１２、５２には、カバー５０を定位置までスライドさせた際に、カバー５０の下側への移動を規制するストッパ（特に符号を付さず）が付いている。
【００３１】
箱本体１０の側部開口１１の下側の外面には、箱本体１０の側部開口１１から引き出されて上部から下方へ向けて導出されるワイヤーハーネスＷを嵌めるための前面開放の断面Ｕ字状の配索溝２０Ａ、２０Ｂが形成されている。この場合、嵌め込むワイヤーハーネスＷの太さに対応するよう断面積を異ならせた２本の配索溝２０Ａ、２０Ｂが互いに隣接して平行に設けられている。
【００３２】
また、その配索溝２０Ａ、２０Ｂを形成するために箱本体１０の側部の外面に突設された配索溝２０Ａ、２０Ｂの左右側壁２１、２２の先端（突出端）には、互いに内側に突出することで、配索溝２０Ａ、２０Ｂ内に収容されたワイヤーハーネスＷの抜けを規制する仮係止部２３が設けられている。ここでは、仮係止部２３は、配索溝２０Ａ、２０Ｂの左右側壁２１、２２の先端縁を内側へ傾斜させた先端傾斜部として形成されており、配索溝２０Ａ、２０Ｂの左右側壁２１、２２の中段の高さ範囲にのみ設けられている。
【００３３】
また、カバー５０は、上部に箱本体１０の側部開口１１を塞ぐ幅の封止壁５１を有し、それに続く下半部の水平断面が略コ字状に形成されたもので、水平断面が略コ字状に形成された部分は、封止壁５１と略同等の幅の前壁７０と、その左右両側に連続した側壁７１とから構成されている。前壁７０は、ワイヤーハーネスＷの断面の曲率に応じた２本の半筒壁を横に並べた形状をなしている。前壁７０の上部は、傾斜壁７４により封止壁５１の下端に連続し、傾斜壁７４と封止壁５１の外面には、縦方向に沿って平行な複数のリブ７８が設けられている。
【００３４】
このカバー５０には、該カバー５０を箱本体１０に装着したときに、配索溝２０Ａ、２０Ｂの左右側壁２１、２２の外側に挿入されて、それにより左右側壁２１、２２の外側への撓みを規制する規制壁７１、７２が設けられている。この場合、２本の配索溝２０Ａ、２０Ｂの左右側壁２１、２２のうち最左端と最右端の側壁２１の撓みを規制するカバー５０の規制壁７１が、カバー５０の左右側壁７１によって構成され、それ以外の規制壁７２が、隣接する配索溝２０Ａ、２０Ｂの２枚の側壁２２の間の撓み空間２５に挿入されるようにカバー５０の内面に突設されたリブ７２によって構成されている。
【００３５】
また、カバー５０の規制壁７１、７２の基部には、仮係止部２３の外側に当接することで、仮係止部２３の外側への開きを防止する開き防止部７３が設けられている。
【００３６】
また、配索溝２０Ａ、２０Ｂの左右側壁２１、２２の上端角部２１ａ、２２ａは、斜めにまたは湾曲状にカットされており、カバー５０の傾斜壁７４が、そのカット形状に対応している。
【００３７】
また、配索溝２０Ａ、２０Ｂの最外側の側壁２１の外面と、カバー５０の側壁７１の内面との間には、前述した第１のスライドガイド１２、５２を補強するための第２のスライドガイド１４、５４が設けられている。
【００３８】
この第２のスライドガイド１４、５４は、カバー５０側から見た場合、前述した奥側に位置する第１のスライドガイド１２、５２よりも手前側に位置しており、カバー５０の内面側に設けられたリブ（凸部）５４ａと、配索溝２０Ａ、２０Ｂの最外側の側壁２１の外面側に設けられた縦方向のスライド溝１４ａと、よりなる。また、この第２のスライドガイド１４、５４は、第１のスライドガイド５２と平行をなすように配置されると共に、第１のスライドガイド５２よりも下方に延ばして設けられている。
【００３９】
この場合、図２に示すように、スライド溝１４ａの入口部分（上端付近）の両溝側縁がカバー５０のスライド方向に対して傾斜していることによってスライド溝１４ａの溝幅が大きくなっていることにより、カバー５０と箱本体１０間における第２のスライドガイド１４、５４の入口部分の前後方向の遊びが大きく設定されている。特に、カバー５０から見て手前側の溝側縁１４ｂが、カバー５０のスライド方向に対し大きく傾斜していることで、カバー５０を傾斜姿勢にした場合でも、カバー５０側のスライドガイド５４であるリブ５４ａの先端を受け入れやすくなっている。
【００４０】
また、スライド溝１４ａがスライド方向の奥側（下側）に行くほど溝幅が小さくなって、最終的に両溝側縁が平行になっていることにより、カバー５０と箱本体１０間における第２のスライドガイド１４、５４の前後方向の遊びが小さくなっている。
【００４１】
また、配索溝２０Ａ、２０Ｂの最外側の側壁２１は、カバー５０を支持する連結壁としての機能を果たすもので、それら最外側の側壁（連結壁）２１の外面と、それに重なるカバー５０側の側壁７１との間には、カバー５０を定位置にロックするロック機構３０、８０が設けられている。
【００４２】
次に作用を説明する。
【００４３】
この電気接続箱を組み立てる場合は、まず、箱本体１０の側部からワイヤーハーネスＷを引き出すと共に、引き出したワイヤーハーネスＷを上部から下方へ向けて導出し、それぞれの配索溝２０Ａ、２０Ｂに嵌め込む。その際、仮係止部２３の先端間の間隔は、ワイヤーハーネスＷの径より小さく設定されているので、ワイヤーハーネスＷを嵌め込むとき、配索溝２０Ａ、２０Ｂの側壁２１、２２を外側へ撓ませながら挿入する。ワイヤーハーネスＷを配索溝２０Ａ、２０Ｂに挿入すると、側壁２１、２２は元の位置に復帰し、この状態で仮係止部２３による仮係止が行われる。従って、ワイヤーハーネスＷは撥ね戻り等で配索溝２０Ａ、２０Ｂから外へ飛び出さなくなる。
【００４４】
次にカバー５０を上から装着する。その際、カバー５０側のスライドガイド５２、５４（突壁５２ａ、リブ５４ａ）を箱本体１０側のスライドガイド１２、１４（スライド溝１２ａ、１４ａ）に係合させながら、下方へスライドさせ、ロック機構３０、８０を互いにロックさせる。このようにスライドガイド１２、５２、１４、５４の案内作用によって、上からカバー５０をスライドさせるだけで、箱本体１０の側部の定位置にカバー５０を装着できるので、カバー５０の取り付けが簡単且つスムーズにできる。
【００４５】
カバー５０を定位置に装着すると、カバー５０の規制壁（側壁７１及びリブ７２）が、配索溝２０Ａ、２０Ｂの側壁２１の外側及び隣接する側壁２２間の撓み空間２５に挿入され、また、開き防止部７３が仮係止部２３の外側に当接する。これにより、規制壁（側壁７１及びリブ７２）によって側壁２１、２２の外側への撓みが規制され、開き防止部７３によって仮係止部２３の開きが防止される。
【００４６】
従って、ワイヤーハーネスＷに対する保持を強固で確実なものにすることができる。つまり、仮係止部２３による係止と、規制壁（側壁７１及びリブ７２）の撓み規制による係止との二重係止の実現により、ワイヤーハーネスＷの保持力のアップが図れる。
【００４７】
また、第１のスライドガイド１２、５２と第２のスライドガイド１４、５４の案内によって、配索溝２０Ａ、２０ＢへのワイヤーハーネスＷの嵌め込み方向と交差する方向にカバー５０をスライドさせるようにしているので、ワイヤーハーネスＷの撥ね戻り力によって、カバー５０が外れるおそれを無くすことができる。
【００４８】
また、配索溝２０Ａ、２０ＢにワイヤーハーネスＷを嵌めた段階で、仮係止部２３による仮係止が行われるので、ワイヤーハーネスＷの撥ね戻り等の心配をすることなく、カバー５０を簡単に箱本体１０の定位置に装着することができ、作業手間と作業時間の軽減を図ることができる。
【００４９】
また、配索溝２０Ａ、２０ＢにワイヤーハーネスＷを嵌めてカバー５０を装着することにより、クリップやプロテクタ等の余計な部品を使用せずに、図６に示すように、ワイヤーハーネスＷの配索経路を、障害物１００の下を潜り抜ける経路に強制的に決めることができるので、組付手間を減らすことができ、コストダウンが図れる。
【００５０】
また、カバー５０を装着することによって、ワイヤーハーネスＷを保護することができるので、防水性を高めることができる。
【００５１】
また、解体時は、カバー５０を取り外して、ワイヤーハーネスＷを手前に引き出せば、配索溝２０Ａ、２０Ｂから簡単に外すことができるので、解体性に優れており、資源再利用の面で貢献することができる。
【００５２】
また、カバー５０を上方からスライドさせるためのスライドガイド１２、５２、１４、５４を、カバー５０から見て先端側と手前側の２箇所に設けているので、カバー５０のガタつきを減らすことができる。
【００５３】
即ち、図９に例を示すように、それぞれのスライドガイドの遊び角θ１、θ２を、θ１はα１とα２とのなす角およびθ２はα３とα４とのなす角とした場合、両方の遊び角の重なる範囲α３とα２とのなす角θがトータルの遊び角θになる。従って、２つスライドガイド１２、５２、１４、５４があることによって、トータルの遊び量を結果的に小さくすることができるようになるので、カバー５０のガタつきを減らすことができる。
【００５４】
また、手前側に第２のスライドガイド１４、５４を設けたことにより、ガタつきによる変位量の最も大きくなるカバー５０の前壁下端の変位量を減らすことができる。つまり、図７に示すように、カバー５０の先端側の第１のスライドガイド１２、５２しかない場合は、カバー５０の前壁７０下端Ｋから第１のスライドガイド１２、５２までの距離Ｌが大きくなるので、同じガタつき角度であるとすると、カバー５０の前壁７０下端Ｋの変位量が大きくなるが、図８に示すように、手前側に第２のスライドガイド１４、５４を設けると、前記の距離Ｌが小さくなるので、そのぶんだけカバー５０の前壁７０下端Ｋの変位量を小さくすることができる。
【００５５】
また、第１のスライドガイド１２、５２は上の方にあるが、第２のスライドガイドは１４、５４それより下の方に設けているので、第２のスライドガイド１４、５４に近いカバー５０の前壁７０下端Ｋのガタつきをより小さくすることができる。
【００５６】
また、本実施形態では、仮係止部２３を配索溝２０Ａ、２０Ｂの左右側壁２１、２２の中段の高さ範囲にのみ設けているので、配索溝２０Ａ、２０Ｂの上段と下段ではワイヤーハーネスＷへの規制を緩やかにすることができる。従って、上部からワイヤーハーネスＷを配索溝２０Ａ、２０Ｂの中に嵌め入れるとき、入れ始めの段階は仮係止部２３が邪魔にならずに、スムーズに入れることができ、ある程度入った段階で初めて仮係止が効き出すことになる。また、解体時に下部からワイヤーハーネスＷを抜き出すときも、抜き始めの段階は仮係止部２３が邪魔にならないので、スムーズに抜き出すことができ、ある程度抜いた段階で仮係止に抗して抜けばよくなる。
【００５７】
また、配索溝２０Ａ、２０Ｂの左右側壁２１、２２の上端角部２１ａ、２２ａを斜めにまたは湾曲状にカットしてあるので、それら上端角部２１ａ、２２ａにワイヤーハーネスＷの電線を引っ掛けるような心配もなく、ワイヤーハーネスＷを配索溝２０Ａ、２０Ｂに容易に入れることができる。また、カバー５０も、対応した傾斜壁７４を有する形状に形成してあるので、ワイヤーハーネスＷを適切に押え込むことができる。
【００５８】
また、本実施形態では、第１のスライドガイド１２、５２と第２のスライドガイド１４、５４を、各入口では前後方向の遊びが大きくスライド方向の奥側に行くほど前後方向の遊びが小さくなるように構成しているので、装着初期の段階では、大きな遊びを持たせながらカバー５０を箱本体１０に楽に装着することができ、装着終期の段階では、徐々に遊びを取り除きながらカバー５０をぴったりと適正な最終位置に装着することができる。
【００５９】
従って、図１０（ａ）に示すように、箱本体１０の側部から引き出したワイヤーハーネスＷを、箱本体１０の側部に沿って上部から下方に導き、更に水平方向に引き延ばすような場合には、ワイヤーハーネスＷに撥ね上がり力があることによって、又は、ワイヤーハーネスＷの径が大きい場合、カバー５０を上方から矢印Ａ１方向に装着する際に、カバー５０がワイヤーハーネスＷの図１０（ａ）中Ｓで示す範囲を強く擦りながら挿入される心配があるが、その点を解消することができる。
【００６０】
即ち、図１０（ｂ）および図１１に示すように、カバー５０の装着初期の段階では、スライドガイド１２、５２、１４、５４の遊びが大きいことで、カバー５０の姿勢についての融通が大きく取れることにより、カバー５０を、その下端側が外側に開いた状態となるよう、やや傾けた姿勢で箱本体１０に挿入することができ、無理な押し付け力をワイヤーハーネスＷに与えることなく、箱本体１０に装着して行くことができる。この際、カバー５０側のリブ５４ａ（第２のスライドガイド５４）の先端は、図１１に示すように、箱本体１０側のスライド溝１４ａの溝側縁１４ｂの傾斜に確実に拾われながら、スライド溝１４ａの中に挿入されて行く。
【００６１】
また、装着終期の段階に進むにつれて、図１０（ｃ）および図１２に示すように、スライド溝１２ａ、１４ａの溝幅が減少して前後方向の遊びが少なくなることによって、第１、第２のスライドガイド１２、５２、１４、５４による拘束性能が強く効き出すことにより、カバー５０の下端側が箱本体１０側に矢印Ａ３のように引き付けられるようになるので、カバー５０がワイヤーハーネスＷを外側から押さえ付けながら最終位置まで装着されて行く。
【００６２】
これにより、撥ね返り傾向のあるワイヤーハーネスＷに、装着の際のカバー５０が強く擦れるという現象を緩和することができるようになり、ワイヤーハーネスＷの外周に対する損傷防止及びカバー５０を装着する際の力の低減を図りながら、カバー５０を箱本体１０に装着することができ、図１３に示す装着完了時点では、ワイヤーハーネスＷを確実にカバー５０で押さえ付けることができる。
【００６３】
なお、上記実施形態では、配索溝２０Ａ、２０Ｂを２本設けた場合を示したが、１本でもよい。また、３本以上の配索溝を設けてもよい。
【図面の簡単な説明】
【００６４】
【図１】本発明の実施形態の電気接続箱の箱本体とカバーを組み合わせた状態を示す要部の斜視図である。
【図２】前記箱本体の要部の斜視図である。
【図３】前記カバーの外面の斜視図である。
【図４】前記カバーの内面を斜め下側から見た斜視図である。
【図５】前記箱本体とカバーを組み合わせた状態を示す一部省略して示す要部の側面図である。
【図６】前記箱本体にワイヤーハーネスを組み込んだ上でカバーを装着した状態を示す要部の側面図である。
【図７】前記箱本体とカバーとの間に第１のスライドガイドしか設けない場合（比較例）の模式的な平面図（ａ）と側面図（ｂ）である。
【図８】前記箱本体とカバーとの間に第１のスライドガイドと第２のスライドガイドの２つを設けた場合（本発明）の模式的な平面図（ａ）と側面図（ｂ）である。
【図９】２つのスライドガイドを設けることによって、ガタつきを小さくできることを示すための図で、（ａ）は第１、第２のスライドガイドのそれぞれの遊びの大きさについての説明図、（ｂ）は遊びが減ることの説明図である。
【図１０】前記箱本体にカバーを装着する際のワイヤーハーネスに対する擦れの問題についての概略的な説明図で、（ａ）は真っ直ぐにカバーをスライドさせたときに強く擦れが生じる可能性があることを示すための側面図、（ｂ）はその問題を解消するために斜めの姿勢でカバーを装着していくことを示す側面図、（ｃ）は最終段階の少し手間の状態を示す側面図である。
【図１１】前記箱本体にカバーを装着する際のワイヤーハーネスに対する擦れの問題を解消するためのカバーの初期姿勢を示す側面図である。
【図１２】図１１の次の段階の姿勢を示す側面図である。
【図１３】装着完了の段階を示す側面図である。
【符号の説明】
【００６５】
１０  箱本体
５０  カバー
２０Ａ，２０Ｂ  配索溝
２１  側壁（連結壁）
７０  前壁
７１  左右側壁
１２，５２  第１のスライドガイド
１２ａ  スライド溝
１２ｂ  溝側縁
５２ａ  突壁（凸部）
１４，５４  第２のスライドガイド
１４ａ  スライド溝
１４ｂ  溝側縁
５４ａ  リブ（凸部）
【図１】
2008178281.tif 000003
【図２】
2008178281.tif 000004
【図３】
2008178281.tif 000005
【図４】
2008178281.tif 000006
【図５】
2008178281.tif 000007
【図６】
2008178281.tif 000008
【図７】
2008178281.tif 000009
【図８】
2008178281.tif 000010
【図９】
2008178281.tif 000011
【図１０】
2008178281.tif 000012
【図１１】
2008178281.tif 000013
【図１２】
2008178281.tif 000014
【図１３】
2008178281.tif 000015